(57)【特許請求の範囲】
【請求項１】
通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムであって、
前記サーバは、
前記端末から送られてくるデータを受信するデータ受信手段と、
前記データ受信手段で受信されたデータの内容を解析し判別する受信データ判別手段と、
前記受信データ判別手段にて判別した結果、ユーザの現在位置を示すデータの場合に、
そのデータを取得するアクセスユーザ現在位置取得手段と、
前記アクセスユーザ現在位置取得手段にて取得したユーザの現在位置に応じて、アクセスしてきたユーザに提供するユーザ情報ポイントを算出し調整するユーザ情報提供ポイント調整手段と、
前記ユーザ情報提供ポイント調整手段にて調整されたユーザ情報ポイントを前記端末に送信する送信手段と、
を備え、
前記端末は、
当該端末の現在位置を取得する現在位置取得手段と、前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータからユーザ情報ポイントを判別する受信データ判別手段と、
前記受信データ判別手段で判別した結果、ユーザ情報ポイントを少なくとも１つ格納するユーザ情報ポイント格納手段と、
予めユーザ情報ポイントの利用条件が格納された利用条件格納手段と、
前記ユーザ情報ポイント格納手段に格納されるユーザ情報ポイントがある条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とするユーザ情報ポイント管理システム。
【請求項２】
前記サーバは、さらにアクセスしてきたユーザのアクセスポイントを取得するアクセスポイント取得手段を備え、
前記ユーザ情報提供ポイント調整手段は、前記アクセスポイント取得手段にて取得したアクセスポイントと前記アクセスユーザ現在位置取得手段にて取得したユーザの現在位置に応じて、アクセスしてきたユーザに提供するポイントを調整することを特徴とする請求項１記載のユーザ情報ポイント管理システム。
【請求項３】
前記サーバは、さらにアクセスしてきたユーザのアクセス開始時刻を取得するアクセス開始時刻取得手段を備え、
前記ユーザ情報提供ポイント調整手段は、前記アクセス開始時刻取得手段にて取得したユーザのアクセス開始時刻に応じて、アクセスしてきたユーザに提供するポイントを調整することを特徴とする請求項１乃至２記載のユーザ情報ポイント管理システム。
【請求項４】
通信ネットワークを介してアクセスしてきたユーザに対するユーザ情報ポイントを管理するサーバとデータ通信を行い、前記サーバからユーザ情報ポイントを取得するポイント取得端末であって、
ポイント取得端末自身の現在位置を取得する現在位置取得手段と、
前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータから、前記現在位置に応じたユーザ情報ポイントを判別する受信データ判別手段と、
前記受信データ判別手段で判別した結果に基づいて、ユーザ情報ポイントを少なくとも１つ格納するユーザ情報ポイント格納手段と、
予めユーザ情報ポイントの利用条件を格納する利用条件格納手段と、
前記ユーザ情報ポイント格納手段に格納されているユーザ情報ポイントが、前記利用条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とするポイント取得端末。
【請求項５】
前記ユーザ情報ポイント判定手段は、
前記ユーザ情報ポイント格納手段に格納されているユーザ情報ポイントと、前記利用条件格納手段に格納されている利用条件のポイントとの差を判定し、
前記ユーザ情報ポイント格納手段に格納されているユーザ情報ポイントと前記利用条件のポイントとの差が予め決まっている値以下であることを報知する機能をさらに備えることを特徴とする請求項４記載のポイント取得端末。
【請求項６】
通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムの制御方法であって、
前記サーバは、
前記端末から送られてくるデータを受信するデータ受信ステップと、
前記受信されたデータの内容を解析し判別する受信データ判別ステップと、
前記判別した結果、ユーザの現在位置を示すデータの場合に、そのデータを取得するアクセスユーザ現在位置取得ステップと、
前記取得したユーザの現在位置に応じて、アクセスしてきたユーザに提供するユーザ情報ポイントを算出し調整するユーザ情報提供ポイント調整ステップと、
前記調整されたユーザ情報ポイントを前記端末に送信する送信ステップを順次実行し、
前記端末は、
当該端末の現在位置を取得する現在位置取得ステップと、
前記取得した現在位置を前記通信ネットワークを介して前記サーバに送信する現在位置送信ステップと、
前記通信ネットワークを介して前記サーバからのデータを受信するデータ受信ステップと、
前記受信したデータからユーザ情報ポイントを判別する受信データ判別ステップと、
前記判別した結果、ユーザ情報ポイントを少なくとも１つ格納するユーザ情報ポイント格納ステップと、
予めユーザ情報ポイントの利用条件を格納する利用条件格納ステップと、
前記格納されるユーザ情報ポイントが前記利用条件を満たすかどうかを判定するユーザ情報ポイント判定ステップと、
前記判定した結果、ユーザ情報ポイントが前記利用条件を満たすと判定された場合、前記格納されているユーザ情報ポイントを前記通信ネットワークに接続されているサーバに対して送信するユーザ情報ポイント送信ステップを順次実行することを特徴とするユーザ情報ポイント管理システムの制御方法。
【発明の詳細な説明】
【０００１】
【発明の属する技術分野】
本発明は、通信ネットワークを用いてユーザ情報を管理するシステムに関し、特に、インターネット上のホームページに対してアクセスしてきた時刻や場所に応じて利用状況をポイントとして管理するシステムに関するものである。
【０００２】
【従来の技術】
近年、インターネットを利用したオンラインショッピング等を目的としたホームページの運営が普及してきている。ホームページの運営者にとってユーザの囲い込みやリピータの育成が、非常に重要となってきており、これに関する研究もいろいろと行われてきている。
【０００３】
例えば、特開平１１−３３７２号公報には、通信ネットワークを用いてユーザの情報ポイントを管理するシステムが開示されている。これは、ユーザから送信されたユーザ情報を受信する運営組織のサーバと、該運営組織のサーバにリンクしている参加団体のサーバと、該運営組織のサーバから送信されたユーザ情報を受信する該運営組織のメールサーバとが通信ネットワークで接続されており、ユーザから送信されてくるユーザ情報を受信すると、ユーザ情報を登録し、登録したユーザにＩＤ番号を送信し、登録したユーザが該運営組織または参加団体のホームページを利用する都度取得し加算されるポイントを記憶するようにしたものである。
【０００４】
インターネットサービスを利用するユーザをポイントで管理することで、ユーザ情報をデータベース化することができるようになり、また、ユーザは、インターネットサービスを利用することでポイントが増減し、ポイントの多少により、各種のインセンティブ、例えば景品、割引サービス、参加資格等を入手できるようになる。従って、システム参加団体は顧客データベースの顧客情報を利用することにより、将来のビジネス展開に応用できるといった効果を期待でき、一方ユーザも、各種のインセンティブにより利益を得ることができる。
【０００５】
【発明が解決しようとする課題】
しかしながら、上記特開平１１−３３７２号公報に開示されているシステムにおいては、ユーザがインターネットサービスにアクセスした時刻や場所までは考慮されていない。実際の生活シーンを考えてみると、オンラインショッピング等のホームページの運営者は、例えばタイムサービスとか期間限定サービスを行おうとした場合には、時刻や期間を特定し、その間のアクセス増を期待する。また、例えば遊園地や博物館といったような施設における催しの運営者は、その場所へのより多くの集客を期待する。しかし、現状では時刻や場所までは考慮されていないため期待に沿うようなシステムはなかなか見当たらない。
【０００６】
本発明は、上記課題を解決するためになされたもので、その目的とするところは、具体的には、（１）インターネットサービスへのアクセスを行った時刻や場所により、該インターネットサービス利用者が取得する利益を変化させることができ、つまりインターネットサービスへのアクセスを行って取得した情報ポイントを格納していき、この情報ポイントがある条件を満たせば取得した情報ポイントをサーバに対して送信するシステム、（２）インターネットサービスへのアクセスを行ったアクセスポイントと、実際にユーザが存在する現在位置との関係により、該インターネットサービス利用者が取得する利益を変化させることができるシステム、及びその制御方法を提供することである。
【０００７】
本発明に係るユーザ情報管理システムは、通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムであって、
前記サーバは、
前記端末から送られてくるデータを受信するデータ受信手段と、
前記データ受信手段で受信されたデータの内容を解析し判別する受信データ判別手段と、
前記受信データ判別手段にて判別した結果、ユーザの現在位置を示すデータの場合に、
そのデータを取得するアクセスユーザ現在位置取得手段と、
前記アクセスユーザ現在位置取得手段にて取得したユーザの現在位置に応じて、アクセスしてきたユーザに提供するユーザ情報ポイントを算出し調整するユーザ情報提供ポイント調整手段と、
前記ユーザ情報提供ポイント調整手段にて調整されたユーザ情報ポイントを前記端末に送信する送信手段と、
を備え、
前記端末は、
当該端末の現在位置を取得する現在位置取得手段と、前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータからユーザ情報ポイントを判別する受信データ判別手段と、
前記受信データ判別手段で判別した結果、ユーザ情報ポイントを少なくとも１つ格納するユーザ情報ポイント格納手段と、
予めユーザ情報ポイントの利用条件が格納された利用条件格納手段と、
前記ユーザ情報ポイント格納手段に格納されるユーザ情報ポイントがある条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とする。
【０００８】
さらに、本発明に係るユーザ情報ポイント管理システムは、前記サーバがアクセスしてきたユーザのアクセスポイントを取得するアクセスポイント取得手段を備え、前記ユーザ情報提供ポイント調整手段が前記アクセスポイント取得手段にて取得したアクセスポイントと前記アクセスユーザ現在位置取得手段にて取得したユーザの現在位置に応じて、アクセスしてきたユーザに提供するポイントを調整することを特徴とする。
【０００９】
さらに、本発明に係るユーザ情報ポイント管理システムは、前記サーバがアクセスしてきたユーザのアクセス開始時刻を取得するアクセス開始時刻取得手段を備え、前記ユーザ情報提供ポイント調整手段が前記アクセス開始時刻取得手段にて取得したユーザのアクセス開始時刻に応じて、アクセスしてきたユーザに提供するポイントを調整することを特徴とする。
また本発明に係るポイント取得端末は、通信ネットワークを介してアクセスしてきたユーザに対するユーザ情報ポイントを管理するサーバとデータ通信を行い、前記サーバからユーザ情報ポイントを取得するポイント取得端末であって、
ポイント取得端末自身の現在位置を取得する現在位置取得手段と、
前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータから、前記現在位置に応じたユーザ情報ポイントを判別する受信データ判別手段と、
前記受信データ判別手段で判別した結果に基づいて、ユーザ情報ポイントを少なくとも１つ格納するユーザ情報ポイント格納手段と、
予めユーザ情報ポイントの利用条件を格納する利用条件格納手段と、
前記ユーザ情報ポイント格納手段に格納されているユーザ情報ポイントが、前記利用条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とする。
さらに、本発明に係るポイント取得端末は、前記ユーザ情報ポイント判定手段が、
前記ユーザ情報ポイント格納手段に格納されているユーザ情報ポイントと、前記利用条件格納手段に格納されている利用条件のポイントとの差を判定し、
前記ユーザ情報ポイント格納手段に格納されているユーザ情報ポイントと前記利用条件のポイントとの差が予め決まっている値以下であることを報知する機能をさらに備えることを特徴とする。
【００１０】
また、本発明に係るユーザ情報ポイント管理システムの制御方法は、通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムの制御方法であって、
前記サーバは、
前記端末から送られてくるデータを受信するデータ受信ステップと、
前記受信されたデータの内容を解析し判別する受信データ判別ステップと、
前記判別した結果、ユーザの現在位置を示すデータの場合に、そのデータを取得するアクセスユーザ現在位置取得ステップと、
前記取得したユーザの現在位置に応じて、アクセスしてきたユーザに提供するユーザ情報ポイントを算出し調整するユーザ情報提供ポイント調整ステップと、
前記調整されたユーザ情報ポイントを前記端末に送信する送信ステップを順次実行し、
前記端末は、
当該端末の現在位置を取得する現在位置取得ステップと、
前記取得した現在位置を前記通信ネットワークを介して前記サーバに送信する現在位置送信ステップと、
前記通信ネットワークを介して前記サーバからのデータを受信するデータ受信ステップと、
前記受信したデータからユーザ情報ポイントを判別する受信データ判別ステップと、
前記判別した結果、ユーザ情報ポイントを少なくとも１つ格納するユーザ情報ポイント格納ステップと、
予めユーザ情報ポイントの利用条件を格納する利用条件格納ステップと、
前記格納されるユーザ情報ポイントが前記利用条件を満たすかどうかを判定するユーザ情報ポイント判定ステップと、
前記判定した結果、ユーザ情報ポイントが前記利用条件を満たすと判定された場合、前記格納されているユーザ情報ポイントを前記通信ネットワークに接続されているサーバに対して送信するユーザ情報ポイント送信ステップを順次実行することを特徴とする。
【００１１】
【発明の実施の形態】
以下に、本発明におけるユーザ情報ポイント管理システム及びユーザ情報ポイント管理システムの制御方法の実施形態に関して、図面を用いて説明する。
【００１２】
［第１の実施例］
図１は、本発明の第１の実施例であるユーザ情報ポイント管理システムのシステム構成を示すブロック図である。図１において、ユーザ情報ポイント管理システムは、インターネット等のネットワーク２０に接続して所望のホームページ等にアクセスするユーザが所有する端末１０と、同じくネットワーク２０に接続して端末１０を使用したユーザがアクセスするためのサーバ５０とから構成されている。
【００１３】
端末１０は、端末の現在位置を取得する現在位置取得部１１、現在位置取得部１１で取得した現在位置をネットワーク２０に対して送信する現在位置送信部１２、ネットワーク２０からデータを受信するデータ受信部１３、データ受信部１３で受信したデータを判別する受信データ判別部１４、受信したユーザ情報ポイント（以下クーポンと言う）を格納するクーポン格納部１５、クーポンを利用する上での条件を格納するクーポン利用条件格納部１６、クーポン格納部１５に格納されたクーポンがクーポン利用条件格納部１６に格納された利用条件を満たしているかどうかを判定するクーポン判定部１７、クーポン判定部１７でクーポンが利用条件を満たしていると判断した場合に、ネットワーク２０に対してクーポンを送信するクーポン送信部１８から構成されており、さらに図示はしていないが、端末１０の全体を制御するＣＰＵ（マイクロプロセッサ）や、制御するためのプログラムが格納されているＲＯＭ、キーボード、マウス等の入力部、ＬＣＤ等の表示部等もシステムの一部を構成している。
【００１４】
現在位置取得部１１は、例えばＧＰＳやＰＨＳ、ＰＤＣを用いて、ＧＰＳ衛星から送信されてくる緯度情報、経度情報によって現在位置を求めたり、あるいはＰＨＳやＰＤＣで現在通信している基地局の位置により、現在位置を求めるようになっている。
【００１５】
受信データ判別部１４は、データ受信部１３で受信したデータから、クーポンやクーポン利用条件を判別し、判別したそれぞれをクーポン格納部１５及びクーポン利用条件格納部１６に格納する。
【００１６】
図２は、ユーザ情報ポイント管理システムで送受信されるデータの一例である。
（ａ）はクーポンに関するデータ構成例で、これは端末１０とサーバ５０の間で相互に使用される。（ｂ）はクーポン利用条件に関するデータ構成例で、これはサーバ５０から端末１０への送信時に使用される。（ｃ）は現在位置に関するデータ構成例で、これは端末１０からサーバ５０への送信時に使用される。これらの送信されてくるデータのヘッダー部分には、例えばクーポン（ａ）の場合は０ｘＡ５、クーポン利用条件（ｂ）の場合は０ｘＡＡ、現在位置情報（ｃ）の場合は０ｘＡＥといったように、各データを判別するための識別コードを付加することで識別できる。
【００１７】
サーバ５０は、端末１０からネットワーク２０を介して送信されてくる現在位置やクーポンのようなデータを受信するデータ受信部５１、データ受信部５１で受信したデータを図２に示したような識別コードに従って判別する受信データ判別部５２、端末１０を所有している人の現在位置を取得するアクセスユーザ現在位置取得部５３、アクセスしてくるユーザの現在位置に応じて付与するクーポンを格納している付与クーポン格納テーブル５４、アクセスユーザ現在位置取得部５３で取得したアクセスしてきたユーザの現在位置及び付与クーポン格納テーブル５４に格納されている現在位置に対する付与クーポンからアクセスしてきたユーザに対して付与するクーポンを計算して取得する（アクセスしてきたユーザに対して提供するユーザ情報ポイントを計算することで調整し確定する）付与クーポン取得部５５、付与クーポン取得部５５で取得したクーポンをネットワーク２０を介して端末１０に送信するクーポン送信部５６から構成されており、さらに図示はしていないが、サーバ全体を制御する制御部（マイクロプロセッサ等を含むもので構成）、上記制御するプログラム等が格納されているＲＯＭやＨＤＤ等で構成されている記憶部、キーボード等の入力部、ＬＣＤ等の表示部等もシステムの一部を構成している。
【００１８】
図３は、サーバ５０及び端末１０から構成されるユーザ情報ポイント管理システムの各部の働きを示すフローチャートである。
【００１９】
図３において、サーバ５０に接続してクーポンを入手しようとするユーザは、現在位置取得部１１で現在位置を取得する（ステップＳ１）。この現在位置取得の方法は、例えばＧＰＳ、ＰＨＳ、ＰＤＣ等を用いるといったように、現在既に行われている方法で取得するとよい。
【００２０】
ステップＳ１において現在位置を取得した後、ネットワーク２を介してクーポンを提供している所望のサーバ５０に接続し（ステップＳ２）、取得した現在位置をサーバ５０に送信する（ステップＳ３）。この現在位置の送信は、例えばサーバ５０から現在位置送信要求のコマンドを受けてそれに対応して送信するようにしてもよいし、サーバ５０と接続するときに同時に現在位置を送信するようにしてもよい。この時送信されるデータには、図２（ｃ）に示すような現在位置情報のデータであることを示す識別コード（０ｘＡＥ）が付与され、続いて取得した現在位置情報が送信されるので、このデータを受信したサーバ５０は現在位置情報のデータであることを簡単に識別することができる。
【００２１】
サーバ５０では、ステップＳ３において端末１０から送信された現在位置情報を受信し（ステップＳ４）、受信データ判別部５２が受信したデータからアクセスしてきたユーザの現在位置情報を取得する（ステップＳ５）。この現在位置情報は、前述した現在位置情報のデータであることを示す識別コード（０ｘＡＥ）を確認することで、受信したデータが、現在位置情報を含むかどうかを判断することができる。図２の場合（図２の（ｃ））では、“大阪市北区○○１丁目”が現在位置情報として取得される。
【００２２】
サーバ５０が現在位置情報を端末１０から取得した後、発行するクーポンの有効期限や、クーポンを収集する際の必要最低限のクーポン数からなるクーポン利用条件を端末１０に送信する（ステップＳ６）。この時送信するデータには、図２（ｂ）に示すようなクーポン利用条件を示す識別コード（０ｘＡＡ）が付与され、続いて有効期限及び必要最低限クーポン数が送信される。図２の場合（ｂ）では、発行するクーポンの有効期限は１９９９年８月３１日であり、またクーポンが利用可能となるための必要最低限のポイント数は３００点であることを示している。すなわち、１９９９年８月３１日までに３００点のクーポンを取得すると、取得したユーザに特典が与えられることを示している。
【００２３】
端末１０は、サーバ５０から送信されたクーポン利用条件を、受信データ判別部１４で受信したデータがクーポン利用条件であることを判別し（ステップＳ７）、クーポン利用条件格納部１６に格納する（ステップＳ８）。
【００２４】
一方、サーバ５０は、アクセスしてきたユーザの現在位置及びその現在位置に応じて付与するクーポンのテーブルを保有している。
【００２５】
図４は、付与クーポン格納テーブル５４の一例である。１行目のデータ（４−１）は、アクセスするユーザの現在位置が「大阪市北区」の場合に５０ポイントのクーポン数が付与されることを意味している。２行目のデータ（４−２）は、アクセスするユーザの現在位置が「○○テーマパーク」の場合に１００ポイントのクーポン数が付与されることを意味している。３行目のデータ（４−３）は、アクセスするユーザの現在位置が「東京都千代田区」の場合に７５ポイントのクーポン数が付与されることを意味している。４行目のデータ（４−４）は、アクセスするユーザの現在位置が「新大阪駅周辺（半径３００ｍ以内）」の場合に１５０ポイントのクーポン数が付与されることを意味している。
【００２６】
この付与クーポン格納テーブル５４及びステップＳ５で取得した現在位置を元に、付与クーポン取得部５５が、アクセスしてきたユーザに対して付与するクーポンを計算する（ステップＳ９）。例えば、催し物を実施している○○テーマパーク内からアクセスした場合は１００ポイント取得でき、新大阪駅の周辺（半径３００ｍ以内）からアクセスした場合は１５０ポイントを取得することができる。このように、目的や日程に応じて図４に示したような付与クーポン格納テーブル５４を変更することで、ポイントを自由に変更する（アクセスしてきたユーザに対して提供するユーザ情報ポイントを調整し確定する）ことができる。
【００２７】
ステップＳ９においてクーポンの計算をした後、クーポン送信部５６が端末１０に対してそのクーポンを送信する（ステップＳ１０）。この時送信されるデータには、図２に示すようなクーポンであることを示す識別コード（０ｘＡ５）が付与され、続いてクーポン発行サーバ名と付与されるクーポン数が送信される。図２の場合では、“ｈｔｔｐ：／／ｗｗｗ．ｘｘｘ．ｃｏ．ｊｐ／”という名前のサーバ５０から“２５”点分のクーポンが発行されたことを示す。
【００２８】
端末１０は、ステップＳ１０において送信されてきたクーポンを、受信データ判別部１４で受信したデータがクーポンであることを判別し（ステップＳ１１）、クーポン格納部１５に格納する（ステップＳ１２）。
【００２９】
次にクーポン判定部１７は、クーポン格納部１５に格納されたクーポンがクーポン利用条件格納部１６に格納されているクーポンの利用条件を満たしているかどうかを判定し（ステップＳ１３）、必要取得クーポン数に満たない場合には、この接続に伴うクーポン獲得の処理を一度終了し、次の接続を待つ。必要取得クーポン数を満たしている場合には、クーポン格納部１５に格納されているクーポン数をサーバ５０に送信する（ステップＳ１４）。この結果、上記サーバ５０からこのクーポン取得端末１０に対して特典を発行し、端末１０を持つユーザは、この特典を受けることができるようになる。
【００３０】
このようにして、インターネットサービスを利用しようとするユーザの現在位置を取得し、その現在位置に応じてクーポンを発行することができるので、クーポン発行者は、現在位置をより有効に用いたクーポン発行システムを開発することができる。
【００３１】
また本実施例においては、格納されているクーポンがクーポン利用条件を満たしているかどうかを判定していたが、クーポン利用条件と格納されているクーポンが、ある値以下に接近している場合には、ユーザに自動的にその旨伝えるようにする。具体的には、格納されているクーポンと、クーポン利用条件中に格納されているクーポンとの差が、予め決まっている値以下の場合、例えば、「あと何点でクーポン利用条件になります。」旨の表示を行います。これによって、貯まっているクーポンを無駄にすることなく、有効に利用することができるようになる。
【００３２】
［第２の実施例］
図５は、本発明の第２の実施例であるユーザ情報ポイント管理システムのサーバ側のシステム構成を示すブロック図である。図５において、サーバ６０は、図１のサーバ５０にアクセスしてきた端末１０のアクセスポイントを取得するアクセスポイント取得部６１、及び、アクセスしてきた時刻を取得するアクセス時刻取得部６２をさらに付加したものである。また、付与クーポン格納テーブル６４は、アクセスしてくるユーザの現在位置だけでなくアクセスポイント取得部６１及びアクセス時刻取得部６２で取得したアクセスポイントやアクセス時刻にも応じて付与するクーポンを格納している。その他は、図１のサーバ５０と同じ構成である。
【００３３】
図１と同じ構成の部分についての説明は省略し、図１のサーバ５０と異なっている部分についてのみ説明を行う。
【００３４】
アクセスポイント取得部６１は、ユーザ端末（図１の端末１０）がこのネットワークに接続してきたときのアクセスポイント（地点）を取得するものである。ネットワーク２０を介して送信されてくるデータのヘッダー部分には、アクセスポイントや中継ポイント及びアクセス時刻等の情報が付加されているので、この情報を抽出してネットワーク２０にどこからアクセスしてきたか、つまり受信データの起点を求め、アクセスポイントを取得することができる。
【００３５】
アクセス時刻取得部６２は、ユーザがアクセスしてきた時刻を求めるようになっており、受信データのヘッダー部分に格納されている起点時刻を抽出することで、ネットワーク２０にアクセスしてきた時刻を求めることができる。
【００３６】
図６は、端末１０及びサーバ６０が送受信するデータの一例である。図６において、（ａ）は端末１０が送信する現在位置情報を示したものであり、（ｂ）はその情報をサーバ６０が受信するときのヘッダー情報を示したものである。つまり、端末１０が送信した現在位置情報には、ネットワーク２０を通過する際、そのヘッダにそのヘッダ部分の長さ６ｂ１とネットワーク２０へのアクセスポイント（ネットワークの起点）６ｂ２及びネットワーク２０へのアクセス開始時刻（ネットワークへの接続開始時刻）６ｂ４が付与されることを示している。尚、この場合、項目として２項目含まれているので、項目間の区切り記号（０ｘ０Ｄ）が含まれており、最後にターミネータとしてのヘッダーエンドコード（０ｘＦＦ）が設定されている。このデータをサーバ６０が受信すると、アクセスポイント取得部６１がアクセスポイントを抽出し、アクセス時刻取得部６２がアクセス開始時刻を抽出する。
【００３７】
図７は、ユーザ情報ポイント管理システムで用いられているアクセスしてくるユーザの現在位置やアクセスポイント及びアクセス時刻と、付与するクーポンとの関係を示すテーブルの例である。図７において、１行目のデータ（７−１）は、端末１０を所有しているユーザが東京都内から○○テーマパークのアクセスポイントを通して午前中にアクセスしてきた場合には、さらに５０ポイントのクーポンが加算されることを示している。２行目のデータ（７−２）は、端末１０を所有しているユーザが大阪市内から、○○テーマパークのアクセスポイントを通して８時から１０時の間にアクセスしてきた場合には、さらに１００ポイントのクーポンが加算されることを示している。３行目のデータ（７−３）は、端末１０を所有しているユーザの現在位置及びアクセス開示時刻に関係無く、○○テーマパークのアクセスポイントを通してアクセスしてきた場合には、１５０ポイントのクーポンが付与されることを示している。また、４行目のデータ（７−４）は、アクセスポイント及び端末１０を所有しているユーザの現在位置に関係無く、２３時から２時までにアクセスしてきた場合には、５０ポイントのクーポンが付与されることを示している。従って、例えば、大阪市内から９時に○○テーマパークのアクセスポイントを介してアクセスしてきたユーザが受け取るクーポンは、２行目と３行目のデータから１００＋１５０＝２５０ポイントとなる。つまり、これらの処理は、端末１０側から送られてくる情報であるアクセスしてきたユーザの現在位置、アクセスしてきたアクセスポイント、アクセスしてきた時刻と、サーバ５０側の付与クーポン格納テーブル５４に格納されている現在位置とアクセスポイントとアクセス時刻と、からサーバ５０側の付与クーポン取得部５５によってアクセスしてきたユーザに対して付与するクーポンを計算して取得する（アクセスしてきたユーザに対して提供するユーザ情報ポイントを計算することで調整し確定する）ことで実現される。
【００３８】
尚、上記アクセスポイントとアクセス時刻は両方とも処理時に使用しなければならないといったことはなく、いずれか一方のみを使用する方法であってもよい。
【００３９】
このように、アクセスしてくるユーザの現在位置だけでなく、ユーザがネットワークに最初に接続してくるアクセスポイント及びアクセス開始時刻に応じて、クーポンとして付与するポイントを変更することで、アクセスポイント管理者が意図するようなアクセスを実現することが可能になる。
【００４０】
以上説明したユーザ情報ポイント管理システムは、ユーザ情報管理方法の処理を機能させるためのプログラムで実現される。このプログラムはコンピュータで読み取り可能な記録媒体に格納されている。本発明では、この記録媒体として、図示していないがＣＰＵ等のマイクロプロセッサで処理が行われるために必要なメモリ、例えばＲＯＭのようなものそのものがプログラムメディアであってもよいし、また図示していないが外部記憶装置としてプロラム読み取り装置が設けられ、そこに記録媒体を挿入することで読み取り可能なプログラムメディアであってもよい。いずれの場合においても、格納されているプログラムはマイクロプロセッサがアクセスして実行させる構成であってもよいし、あるいはいずれの場合もプログラムを読み出し、読み出されたプログラムは、マイクロプロセッサの図示されていないプログラム記憶エリアにロードされて、そのプログラムが実行される方式であってもよい。このロード用のプログラムは予め本体装置に格納されているものとする。
【００４１】
ここで上記プログラムメディアは、本体と分離可能に構成される記録媒体であり、磁気テープやカセットテープ等のテープ系、フロッピーディスクやハードディスク等の磁気ディスクやCD−ROM／MO／MD／DVD等の光ディスクのディスク系、ＩＣカード（メモリカードを含む）／光カード等のカード系、あるいはマスクROM、EPROM、EEPROM、フラッシュROM等による半導体メモリを含めた固定的にプログラムを担持する媒体であってもよい。
【００４２】
また、本発明においてはインターネットを含む通信ネットワークと接続可能なシステム構成であることから、通信ネットワークからプログラムをダウンロードするように流動的にプログラムを担持する媒体であってもよい。尚、このように通信ネットワークからプログラムをダウンロードする場合には、そのダウンロード用プログラムは予め装置本体に格納しておくか、あるいは別な記録媒体からインストールされるものであってもよい。
【００４３】
尚、記録媒体に格納されている内容としてはプログラムに限定されず、データであってもよい。
【００４４】
以上、ここまで挙げた実施形態における内容は、本発明の主旨を変えない限り、上記記載内容に限定されるものではない。
【００４５】
【発明の効果】
本発明におけるユーザ情報ポイント管理システム、ポイント取得端末及びユーザ情報ポイント管理システムの制御方法では、以下の効果が得られる。
【００４６】
本発明における１つ目は、ネットワークに対してアクセスしてきたユーザの現在位置に応じてユーザに提供するユーザ情報ポイント（クーポン）を調整するようにしたため、情報提供者が意図している集客場所に対して、確実に集客するシステムを実現することができる。
【００４７】
本発明における２つ目は、ネットワークに対してアクセスしてきたユーザの現在位置と、ネットワークに最初に接続してきたアクセスポイント（位置）に応じて、アクセスしてきたユーザに対して提供するユーザ情報ポイント（クーポン）を調整するようにしたため、ユーザは場所を移動しなくても、ネットワークに最初にアクセスするポイントを変更するだけで、クーポンを取得することができるようになり、ユーザの新たな楽しみ方を提供することができる。さらに、情報提供者側にとっても、新たな楽しみ方を提供することで、アクセスしてくるユーザ数を増やすことができるようになる。
【００４８】
本発明における３つ目は、ネットワークに最初に接続開始する時刻（アクセス開始時刻）に応じても、アクセスしてきたユーザに対して提供するクーポンを調整するようにしたため、アクセス開始時刻もユーザ情報ポイント調整の対象となり、ユーザにとっては、場所の移動及びアクセスするポイントを変更しなくても、ネットワークにアクセスする時刻を変えるだけで、クーポンを取得することができるようになり、新たな楽しみ方を提供することができるようになる。
本発明における４つ目は、ポイント取得端末自身の現在位置に応じてクーポンを取得することができ、利用条件を満たせばポイント取得端末のユーザは、特典を受けることができる。
本発明における５つ目は、取得したクーポンが利用条件に接近していることをユーザが知ることができるので、貯まっているクーポンを無駄にすることなく、有効に利用することができる。
【００４９】
本発明における６つ目は、ネットワークを介して接続したサーバからクーポンやクーポン利用条件を入手し、入手したクーポンがクーポン利用条件を満たしたかどうかを自動的に判別し、条件を満たした場合に、サーバに対して取得したクーポンを送信するようにしたため、ユーザはクーポンの収集において、クーポンの有効期限や利用にあたっての最低必要数等の条件を知らなくても、自動的に端末が判定して後の処理を行うので、より簡単にクーポンを利用していくことができると共に、せっかく収集したクーポンを無駄にしないようなシステムを提供することができる。
【図面の簡単な説明】
【図１】本発明の第１の実施例であるユーザ情報ポイント管理システムのシステム構成を示すブロック図である。
【図２】本発明の第１の実施例であるユーザ情報ポイント管理システムで送受信されるデータ及びその構成の例である。
【図３】本発明の第１の実施例であるユーザ情報ポイント管理システムの制御を示すフローチャートである。
【図４】本発明のユーザ情報ポイント管理システムでユーザの現在位置と付与するクーポンとの関係を示すテーブルの例である。
【図５】本発明の第２の実施例であるユーザ情報ポイント管理システムのサーバ側のシステム構成を示すブロック図である。
【図６】端末から送信されてきたデータ、及びサーバがネットワークを介して受信するデータ及びその構成の例である。
【図７】ユーザ情報ポイント管理システムでユーザの現在位置、アクセスポイント、アクセス時刻と付与するクーポンとの関係を示すテーブルの例である。
【符号の説明】
１０  端末
１１  現在位置取得部
１２  現在位置送信部
１３  データ受信部
１４  受信データ判別部
１５  クーポン格納部
１６  クーポン利用条件格納部
１７  クーポン判定部
１８  クーポン送信部
２０  ネットワーク
５０  サーバ
５１  データ受信部
５２  受信データ判別部
５３  アクセスユーザ現在位置取得部
５４  付与クーポン格納テーブル
５５  付与クーポン取得部
５６  クーポン送信部
６０  サーバ
６１  アクセスポイント取得部
６２  アクセス時刻取得部
【図１】
0004283388.tif 000002
【図２】
0004283388.tif 000003
【図３】
0004283388.tif 000004
【図４】
0004283388.tif 000005
【図５】
0004283388.tif 000006
【図６】
0004283388.tif 000007
【図７】
0004283388.tif 000008